(57)【要約】【課題】噴出バルブやフィルタの部分を風防の外へ取り出しし易くして、噴出ノズルやフィルタに対するメンテナンス性が良好なガスバーナーを提供する。【解決手段】火口ブロック５のノズル１９の後端１８に、フィルタ２４と噴出ノズル２５とを設けるとともに、火口ブロック側空気孔２６を開口し、この火口ブロック側空気孔２６がノズル受け４のノズル受け側空気孔１５に対応させ、火口ブロック５のノズル受け４に対する分離時にノズル１９の後端１８に設けられたフィルタ２４と噴出ノズル２５とがノズル受け４から分離する構成とした。【選択図】図２
2017146070.tif 000002
【特許請求の範囲】
【請求項１】
風防の内部に位置していて、ガス供給源側からガスが送り込まれるノズル受けと、前記ノズル受けに後端が抜き差し可能に挿入されるノズルを有した火口ブロックとを備えるガスバーナーであって、
前記ノズル受けには、火口ブロックにおけるノズルの前記後端が挿入される部分にしてノズル受け側空気孔が開口されて、ノズル受けの外周に前記ノズル受け側空気孔を開け閉めする空気調節環が回転可能にして取り付けられ、
火口ブロックの前記ノズルの後端には、フィルタと噴出ノズルとが設けられているとともに、火口ブロック側空気孔が開口されていて、この火口ブロック側空気孔が前記ノズル受け側空気孔に対応しており、
前記火口ブロックのノズル受けに対する分離時にノズルの後端に設けられたフィルタと噴出ノズルとがノズル受けから分離する構成としたことを特徴とするガスバーナー。
【請求項２】
上記風防に、上記火口ブロックのノズルが通されて風防に対する火口ブロックの位置決め用の取付孔を開口した位置決め板が設けられていて、前記取付孔にノズルを通した火口ブロックが止めビスにより風防に止め付けられている請求項１に記載のガスバーナー。
【発明の詳細な説明】
【技術分野】
【０００１】
本発明は、ハンディタイプや卓上タイプなどのガスバーナーに関するものである。
【背景技術】
【０００２】
従来からハンディタイプや卓上タイプなどの形態を採るガスバーナーにあっては、ガスタンクの部分をカートリッジ缶や供給源からのガスを貯留するタンクとし、このガスタンクの上部に、バーナー本体部分を覆う外装となる風防を取り付けていて、この風防の内部に、後端側にガスタンクからのガスが供給されるとともに空気を取り入れて混合気を通すノズルを配置し、さらにノズルの先端側に火口ブロックを取り付けた構成のものがある。
【０００３】
特に、特許文献１に示されているガスバーナーにあっては、彫金の細かな溶着作業などで据え置きでも使用できるように、バーナーの本体部分を小型にして低重心化が図られており、混合気を通す上記ノズルは、風防にボルト止めされている後端の内部に噴出バルブとフィルタとを組み入れて、この部分にガスタンクからのガスが送り込まれるようにしている。
【０００４】
ノズルにおける上記フィルタを組み入れた部分に近接する位置にはノズルを径方向に通る貫通孔であってノズル内の混合気流路に連通する空気孔があり、ノズルの外周に回転可能にして取り付けられている空気調整環で前記空気孔を開け閉め調整できるものとなっている。
【０００５】
さらに空気孔から取り込まれた空気とガスとの混合気が向かう火口ブロックでは、風防に設けた取付板を通して火口本体をノズルの先端にネジ付けて、火口ブロックとノズルとの連結を行なうとともに、両者の間に風防の前記取付板を介在させたことで、ノズルの先端側を風防に対して固定し、火口ブロックも風防に固定する構成としているものである。
【０００６】
なお、特許文献１に示されたガスバーナーは圧電点火式ガスバーナーであり、押し下げ可能に押し手が被せ付けられている圧電ユニットが、ガスタンクの側部に設けられていて、火口ブロックの上記火口本体に組み付けた火口ノズルに近接配置された電極に、圧電ユニットのリード線の端部が接続されているものであった。
【先行技術文献】
【特許文献】
【０００７】
【特許文献１】特開２０００−１８６８０５号公報
【発明の概要】
【発明が解決しようとする課題】
【０００８】
ところで上述したハンディタイプのガスバーナーは手持ちできる大きさであることから、彫金などの金属加工に限らず各種の用途に使用されているが、空気中に微細な金属粉や油分が漂う作業環境で使用されることもあり、ガスバーナーの使用に際して空気とともにその空気に含まれている微細な油分を空気孔からノズル内に吸い込む場合がある。
【０００９】
そして、ノズル内に入った金属粉や油分の大半は、混合気の流れに伴なって火口側に向けて排出されるが、一部が空気孔近くに残ってフィルタや噴出バルブに付着してしまうことがある。そして金属粉や油分などの異物の付着が、ガスの噴出不良や噴出バルブの目詰まりの原因となっている。
【００１０】
このように空気孔から入った異物によって噴出バルブやフィルタが目詰まりした場合、付着した汚れを手作業で取り除く作業をしなければならないが、バーナーの本体部分を小型化した上記構造のガスバーナーは、風防内に収められた形で配置されているノズルを取り外すまでに至る分解作業が煩雑であるという問題があった。
【００１１】
そこで本発明は上記事情に鑑み、上記噴出バルブやフィルタの部分を風防の外へ取り出しし易くすることを課題とし、噴出ノズルやフィルタに対するメンテナンス性が良好であるとともに、炎のバリエーションを豊富にすることができる構成として、ガスバーナーの商品性を向上させることを目的とするものである。
【課題を解決するための手段】
【００１２】
（請求項１の発明）
本発明は上記課題を考慮してなされたもので、風防の内部に位置していて、ガス供給源側からガスが送り込まれるノズル受けと、前記ノズル受けに後端が抜き差し可能に挿入されるノズルを有した火口ブロックとを備えるガスバーナーであって、
前記ノズル受けには、火口ブロックにおけるノズルの前記後端が挿入される部分にしてノズル受け側空気孔が開口されて、ノズル受けの外周に前記ノズル受け側空気孔を開け閉めする空気調節環が回転可能にして取り付けられ、
火口ブロックの前記ノズルの後端には、フィルタと噴出ノズルとが設けられているとともに、火口ブロック側空気孔が開口されていて、この火口ブロック側空気孔が前記ノズル受け側空気孔に対応しており、
前記火口ブロックのノズル受けに対する分離時にノズルの後端に設けられたフィルタと噴出ノズルとがノズル受けから分離する構成としたことを特徴とするガスバーナーを提供して、上記課題を解消するものである。
【００１３】
（請求項２の発明）
そして、本発明において、上記風防に、上記火口ブロックのノズルが通されて風防に対する火口ブロックの位置決め用の取付孔を開口した位置決め板が設けられていて、前記取付孔にノズルを通した火口ブロックが止めビスにより風防に止め付けられていることが良好である。
【発明の効果】
【００１４】
本発明によれば、ガスバーナーの使用に際して目詰まりを生じ易いフィルタと噴出ノズルとが、火口ブロックのノズルの後端に設けられているので、火口ブロックを取り外すことで、フィルタや噴出ノズルが設けられている部分を清浄にする作業が頗る簡単に行なえるようになる。
【図面の簡単な説明】
【００１５】
【図１】本発明に係るガスバーナーの実施の形態を断面で示す説明図である。
【図２】火口ブロックをノズル受けから分離した状態で示す説明図である。
【発明を実施するための形態】
【００１６】
つぎに本発明を図１と図２に示す実施の形態に基づいて詳細に説明する。図中１はガスバーナーで、本実施の形態で示すこのガスバーナー１は圧電点火式ガスバーナーであり、図１に示すようにガス供給源としての縦型のガスタンク２と、ガスタンク２の上部に取り付けられ、側方の開放部分がやや斜め上方に臨むように傾斜している風防３と、この風防３の内部に配置固定されたノズル受け４と、風防３の前記開放部分から風防３内に装着されている火口ブロック５と、前記ガスタンク２の側部に配置された圧電ユニット６とを備えてなるものである。
【００１７】
ガスバーナー１は圧電点火式のものであることから、従来の圧電点火式ガスバーナーと同様に、押し手７が被せられている圧電ユニット６が備えるリード線８が、風防３の内部を通って火口ブロック５の火口カバー９の内部に入り、火口ノズル１０に近接配置された電極１１に接続されている。
【００１８】
（ノズル受け）
上記ノズル受け４は風防３の開放部分とは反対側であって、風防３の内部での上記押し手７側となる後端壁１２にネジ止めにより固定されている。そして、このノズル受け４は、図２に示されているように火口ブロック５側を受け口として開いた形状の凹穴１３にガスを送り込むように上記ガスタンク２のガスチューブ１４が接続されている。
【００１９】
ノズル受け４が軸回転しないようにした工夫が施されていて、風防３においてこの風防３の天部と後端壁１２とに亘る垂れ壁状の位置決め用突起３ａを一体に有するとともに、ノズル受け４において前記位置決め用突起３ａに対応する部分に位置決め用溝４ａが設けられており、この位置決め用溝４ａに位置決め用突起３ａを嵌め入れて、上述のようにノズル受け４を後端壁１２にネジ止めすることでノズル受け４が軸回転しないようにしている。
【００２０】
また、ノズル受け４の前部は、火口ブロック５における後述のノズルの後端が挿入できるように筒状とされていて、この筒状の部分をノズル受け４の径方向に貫く貫通孔からなるノズル受け側空気孔１５を対にして有している。
【００２１】
さらにノズル受け４の上記ノズル受け側空気孔１５が開口されている筒状とされた部分の外周には、空気調節環１６が回転可能にして設けられている。この空気調節環１６はノズル受け側空気孔１５を開け閉めすることで、外部の空気がノズル受け４に装着した火口ブロック５の後端部分（ノズルの後端）に引き入れられる量を調節するものであり、ハンドル１７が風防３の天部に開口された窓部分から突出し、このハンドル１７を動かすことでノズル受け側空気孔１５が開け閉めされる。
【００２２】
（火口ブロック）
火口ブロック５は、図２に示されているように、後端１８が上記ノズル受け４の凹穴１３に抜き差し可能に挿入されているノズル１９と、ノズル１９の先端２０における混合気流路２１に取付筒部２２をネジ付けしている火口本体２３と、火口本体２３の前記ノズル１９へのネジ付けで両者の間に保持される上記火口カバー９と、火口本体２３の前部に装着されている上記火口ノズル１０と、前記火口カバー９の内側で絶縁体に保持される形で火口ノズル１０に近接される上記電極１１とからなるものである。
【００２３】
（火口ブロックのノズル）
そして火口ブロック５における上記ノズル１９の後端１８は上記ノズル受け４の凹穴１３に抜き差し可能に装着されていて、この後端１８には、フィルタ２４と、ガスタンク２から凹穴１３に送り込まれてきたガスの流速を高めて混合気流路２１に向けて送り出す細孔の噴出ノズル２５とが設けられている。さらに噴出ノズル２５が設けられている部分の近傍位置にして、かつ混合気流路２１と交差するようにノズル１９の径方向に貫通する貫通孔からなる火口ブロック側空気孔２６が設けられている。
【００２４】
上記火口ブロック側空気孔２６は、ノズル１９の後端１８をノズル受け４の凹穴１３に装着することでそのノズル受け４に設けられている上記ノズル受け側空気孔１５と対応位置する。このようにノズル受け４にノズル受け側空気孔１５が開口されているとともに、このノズル受け４に抜き差し可能に装着される火口ブロック５におけるノズル１９の後端１８に火口ブロック側空気孔２６が開口されていて、ノズル受け側空気孔１５に前記火口ブロック側空気孔２６が対応位置し、さらにノズル受け４の外周に空気調節環１６が設けられていることから、上記噴出ノズル２５からのガスと、空気調節環１６とノズル受け側空気孔１５と火口ブロック側空気孔２６とを通って引き込まれる空気とが混合した状態でノズル１９の混合気流路２１を通って火口ノズル１０に向けて送り出される。
【００２５】
上記風防３は火口ブロック５を支持する位置決め板２７を一体にして有している。そしてこの位置決め板２７には取付孔２８が開口されており、火口ブロック５のノズル１９を取付孔２８に通し、そのノズル１９の端部１８を上記ノズル受け４の凹穴１３に挿入することで、火口ブロック５が二位置で支えられて風防３に組み付けられている。
【００２６】
上記火口ブロック５がノズル１９の中心軸回りで回転しないようにするために公知の手法を採用することが可能であり、本実施の形態では、取付孔２８の内周とノズル１９の外周との両者に相対する二面取りした面が設けられている。また、火口ブロック５の挿入方向での位置はノズル１９をノズル受け４に当接させることで定められている。
【００２７】
さらに、風防３にあっては位置決め板２７の位置で開口された雌ネジの透孔に天部から止めビス２９がネジ付けられており、この止めビス２９を火口ブロック５のノズル１９に当接させて火口ブロック５が風防３に止め付けられている。
【００２８】
上記構造のガスバーナー１においては上記止めビス２９を取り外して火口ブロック５を引き抜くことで、ノズル１９の後端１８にフィルタ２４と噴出ノズル２５とを配した状態で取り出すことができ、火口側からノズル側に入り込んだワックスなどの異物の除去や、フィルタ２４や噴出ノズル２５の周りに付着した異物の除去を簡単に行なうことができる。
【００２９】
なお、火口ノズル１０や火口本体２３の形状を変化させた各種の火口ブロック５を事前に用意することが可能であり、火口ブロック５の交換にて炎のバリエーションを増やすことが簡単に行なえるものとなる。また、同一である複数の火口ブロック５を事前に用意しておくことも良好であり、仮に本ガスバーナー１におけるフィルタ２４や噴出ノズル２５に異物が付着するなどして火口ブロック５に不具合が発生した合でも、その火口ブロック５の交換が簡単であって、不具合に迅速に対処することができる。
【００３０】
上記実施の形態でのガスバーナーは圧電点火式のものを示したが、本発明は実施の形態に限定されるものではなく、圧電点火式以外のガスバーナーにも採用できるものである。また実施の形態では、図１に示すように注入型のガスタンク２をガス供給源とする例を挙げているが、上記ノズル受けにガスを送るガス供給源がこの実施の形態に限定されるものではない。例えばガス供給源を、都市ガスをノズル受けに送り込む機構やガス充填済みのカートリッジ缶（カセットボンベ）とすることが可能である。更に実施の形態においては据え置きできるハンディタイプのものを示しているが、本発明は各種のハンディタイプや卓上タイプなどのガスバーナーに適用できるものであることはいうまでもない。
【符号の説明】
【００３１】
１…ガスバーナー
２…ガスタンク
３…風防
４…ノズル受け
５…火口ブロック
９…火口カバー
１０…火口ノズル
１３…ノズル受けの凹穴
１４…ガスチューブ
１５…ノズル受け側空気孔
１６…空気調節環
１８…ノズルの後端
１９…ノズル
２１…混合気流路
２３…火口本体
２４…フィルタ
２５…噴出ノズル
２６…火口ブロック側空気孔
２７…位置決め板
２８…取付孔
２９…止めビス
【図１】
2017146070.tif 000003
【図２】
2017146070.tif 000004